(57)【要約】  第１の側面および第２の側面を有する吸着剤層；吸着剤層の第１の側面および第２の側面の少なくとも１つの少なくとも一部に隣接する蒸気透過性または微小孔性層；任意に、蒸気透過性または微小孔性層の吸着剤層に隣接しない側面上の第２の蒸気透過性または微小孔性層；任意に、吸着剤層の蒸気透過性または微小孔性層に隣接しない部分に隣接する蒸気不透層；ならびに少なくとも１つの揮発性構成成分を有する活性組成物を含有する多層物品であって、吸着剤層が、活性組成物を含有し、各層を、所要の形状または構造に形成することができる多層物品、ならびに環境の雰囲気、例えば区画または局所的な空間の処理におけるその使用のための方法が、提供される。
2016511705.tif 000002
【特許請求の範囲】
【請求項１】
第１の側面および第２の側面を有する吸着剤層；
前記吸着剤層の前記第１の側面および第２の側面の少なくとも１つの少なくとも一部に隣接する蒸気透過性または微小孔性層；
任意に、前記蒸気透過性層の前記吸着剤層に隣接しない側面上の第２の蒸気透過性または微小孔性層；
任意に、前記吸着剤層の前記蒸気透過性または微小孔性層に隣接しない部分に隣接する蒸気不透層；ならびに
少なくとも１つの揮発性構成成分を有する活性組成物
を含む多層物品であって、
前記吸着剤層は、前記活性組成物を含み、
各層を、所要の形状または構造に形成することができる
多層物品。
【請求項２】
前記蒸気不透層を含み、
前記蒸気透過性または微小孔性層が、前記吸着剤層の前記第１の側面に隣接し、
前記蒸気不透層が、前記吸着剤層の前記第２の側面に隣接する、請求項１に記載の多層物品。
【請求項３】
前記蒸気不透層に隣接するベース層をさらに含み、
前記ベース層を、ある形状に形成することができ、一度形成すると、前記形状を維持する、請求項２に記載の多層物品。
【請求項４】
装飾的なデザインまたは形態を含む前記第２の蒸気透過性または微小孔性層をさらに含む、請求項１に記載の多層物品。
【請求項５】
前記吸着剤層が、前記活性組成物に不活性で、前記活性組成物の収容能力を有しながら前記蒸気透過性または微小孔性層（複数可）を介した揮発性構成成分または前記活性組成物のミストの放出を可能にする不織材料を含む、請求項１に記載の多層物品。
【請求項６】
前記不織材料の密度が２．０〜２５ｍｇ／ｃｃである、請求項５に記載の多層物品。
【請求項７】
前記不織材料が、活性組成物の前記収容能力を増加させる高吸水性ポリマーを含む、請求項５に記載の多層物品。
【請求項８】
前記ベース層が、物体に挟んで固定するためのクリップとして形成される、請求項３に記載の多層物品。
【請求項９】
前記ベース層と前記不透層の間に接着剤層をさらに含み、任意で、いずれかのその他の隣接する層の間に接着剤の周辺帯またはタックを含む、請求項３に記載の多層物品。
【請求項１０】
少なくとも１つの揮発性構成成分を有する前記活性組成物が、
芳香物質の混合物；および
担体
を含み、
前記混合物の前記芳香物質がそれぞれ、ヒトが嗅覚的に検出するための蒸気圧および閾値を有し、
前記混合物の前記芳香物質組成物の放出速度が、フレグランスが、選択された放出時間の期間にわたって線形であると認識される速度である、請求項１に記載の多層物品。
【請求項１１】
前記吸着剤層に付随する前記蒸気透過性または微小孔性層が、直鎖低密度ポリエチレン（ＬＬＤＰＥ）、エチレンビニルアルコール（ＥＶＡ）、エチレンエチルアクリレート（ＥＥＡ）およびこれらの混合物からなる群から選択される材料の薄膜である、請求項１に記載の多層物品。
【請求項１２】
蒸気透過性または微小孔性の前記薄膜の重量が２０ｇ／ｍ2未満である、請求項１１に記載の多層物品。
【請求項１３】
各芳香物質の構成成分の前記蒸気圧が、２０℃および気圧７６０ｍｍＨｇで０．０３〜２ｍｍＨｇである、請求項１０に記載の多層物品。
【請求項１４】
前記放出時間の期間が１〜８週間である、請求項８に記載の多層物品。
【請求項１５】
前記蒸気不透層が、前記活性組成物に不活性なバリアフィルムであり、前記吸着剤層の前記第２の側面を密閉する、請求項２に記載の多層物品。
【請求項１６】
前記バリアフィルムが、エチレンビニルアルコール（ＥＶＡ）ポリエステル積層体、低密度ポリエチレン（ＬＤＰＥ）ポリエステル積層体およびＥＶＡ−ＬＤＰＥポリエステル積層体からなるフィルムの群から選択される、請求項１５に記載の多層物品。
【請求項１７】
前記吸着剤層の前記第２の側面に隣接する側面と向かい合う前記蒸気不透層の側面上に接着剤層をさらに含む、請求項２に記載の多層物品。
【請求項１８】
前記接着剤層の接着剤が感圧性接着剤である、または前記接着剤が可剥性のシートで被覆されている、請求項１７に記載の多層物品。
【請求項１９】
前記吸着剤層が前記吸着剤材料の規則的または不規則な折り畳み構造を含み、前記蒸気透過性または微小孔性層が前記吸着剤層を覆う、請求項１に記載の多層物品。
【請求項２０】
物体の少なくとも一部が、前記多層物品が挟んで固定されるスラット形状を含む、請求項８に記載の多層物品。
【請求項２１】
前記蒸気透過性または微小孔性層が前記第１の側面と前記第２の側面の両方に隣接し、前記第１の側面に隣接する前記蒸気透過性または微小孔性層が、前記第２の側面に隣接する前記蒸気透過性または微小孔性層と同じであっても異なっていてもよい、請求項１に記載の多層物品。
【請求項２２】
処理される環境中に、請求項１に記載の多層物品を配置すること；および
前記多層物品を方向付けて、前記蒸気透過性または微小孔性層から放出された少なくとも１つの揮発性構成成分を、前記環境全体に浸透させること
を含む、環境の雰囲気を処理するための方法であって、
前記環境中の空気が、除臭される、清涼化される、または除臭も清涼化もされる方法。
【請求項２３】
前記環境が、区画または局所的な空間である、請求項２２に記載の方法。
【発明の詳細な説明】
【発明の分野】
【０００１】
本発明は、芳香物質（aromachemical）またはその他の揮発性材料を局所環境に送達するのに使用できる、経済的で効果的なフレグランス送達システムを対象とする。システムは、最大２ヶ月以上効果があり、その性能の耐用年数を通して一定の嗅覚的な効果をもたらす能力を有する。
【発明の背景】
【０００２】
無数のタイプのフレグランス送達システムが、市場で入手可能である。各システムは、揮発性の化学品を局所環境に送達するように設計されており、一般に、従来のエアフレッシュナー物品は、物品のエンジンに基づいて構成されており、揮発性の化学組成物は、リザーバ中に含有され、自然の揮発プロセスまたは積極的に力を加えた発散のいずれかによってリザーバから発散され、その揮発性の化学組成物は、暖房源または強制的な気流に暴露され、環境への発散が促進される。このようなシステムは、設計の簡素さの点で異なる。よりはるかに複雑なシステムには、揮発性の化学品の別々の区分化されたリザーバが含まれ、ここで、環境への揮発および送達が、機械的に制御および駆動される。
【０００３】
一般的に、フレグランス送達システムに含有される化学組成物は、香料と称され、香料は、蒸気としてまたは微細分散液滴（microdispersed droplet）のいずれかとして揮発する際に、魅力的なまたは心地よい香気を局所的な空間に送達するいずれかの化学品または化学品の混合物とすることができる。香料組成物生成の技術は、よく知られており、文献、例えばＳ．Ａｒｃｔａｎｄｅｒによる書籍、Ｐｅｒｆｕｍｅ  ａｎｄ  Ｆｌａｖｏｒ  Ｃｈｅｍｉｃａｌｓ（１９６９、Ｍｏｎｔｃｌａｉｒ、Ｎｅｗ  Ｊｅｒｓｅｙ、ＵＳＡ）に記載されている。また、香料製造の分野で入手可能な特許文献は、十分豊富にある。
【０００４】
慣例的に、香料または化学フレグランス組成物は、アルコール、アルデヒド、ケトン、エステル、エーテル、酢酸、ニトリル、テルペン系炭化水素類、窒素または硫黄複素環化合物および精油を含めた、様々な化学分類の化合物に属する天然または合成由来の揮発性成分の複合混合物を含有する。これらの揮発性材料は、芳香物質として特徴づけられることが多いが、最終組成物が対象とする具体的な使用に応じて選択される溶媒およびその他の成分を含む支持化学ベース（supporting chemical base）に配合されてもよい。最終フレグランス組成物は、担体溶媒ベース中に溶解または分散される多数の芳香物質の複合混合物であることが多く、これは、フレグランスの環境への放出を最適化するために配合された溶媒および揮発性補助剤（volatile assistant）の混合物としてもよい。
【０００５】
ほとんどの場合において、フレグランス送達システムの理想的な目標は、エアフレッシュナー物品の予定された耐用年数にわたってフレグランスの一貫した放出をもたらすことである。このような一貫した放出は、ここで「線形放出（linear release）」と呼ばれ、それによって、消費者は、物品から発せられる芳香を、その物品の規定の耐用年数を通して、質および強度の観点で同一であると認識する概念を説明するために用いられる。現実的に、フレグランス組成物の芳香物質は異なる蒸気圧および異なる閾値を有し、それによって人は芳香物質の香気を認識するので、この理想を達成することは困難である。加えて、アロマ放出エンジンシステムの設計に重要なことは、消費者が持つ、様々な芳香物質を検出する能力が異なることであり、フレグランスディスペンサーが置かれている異なる環境条件、即ち、温度、空気流、湿度、発散空間の容量の効果によって、この問題は大きくなる。
【０００６】
このような複雑な一連の問題に対して、設計が簡素であり、認識される空気清涼効果の線形性能の提供において合理的に費用が安いが効果的なフレグランス放出システムを提供するための多くの試みがなされてきた。
【０００７】
ＵＳ２，６２９，６２８（Ｖａｉｌｌａｎｃｏｕｒｔ）（１９５３年２月２４日）は、網戸に配置される防虫取付具を記載している。このデバイスは、適した材料、例えば厚いボール紙の平面ベースおよびパッドに固定されるパッド状の吸収材で構成される。ベースは、少なくとも一方向でパッドを超えて広がり、ループ状のコードを挿入して、網戸の爪またはフックからデバイスを吊すことができる小穴または穴を含む。防虫剤はパッドを飽和し、ドアの通常の開け閉めの動作の際に、パッドから拡散される。
【０００８】
ＵＳ４，４１９，３９５（Ｓｕｇｉｍｏｔｏ）（１９８３年１２月６日）は、三次元構造を有する芳香付きペンダントを記載している。ペンダントは、デザインが印刷された前面ビニールシートおよび前面シートと対になった背面ビニールシートで構成され、２つのシートは、外側の周辺端部に沿って互いに接合されている。フォームパッドは、それらのシートの間に差し挟まれ、三次元の形態をもたらす。カプセル化した香料層は、前面シートの外面に積層される。カプセル化した香料層は、結合剤によってシートの表面に固定された、香料を含有する複数のカプセルを含有する。香料は、例えば指でこすることによって放出される。
【０００９】
ＷＯ９３／００１１５（Ｆｉｓｃｈｅｌ−Ｇｈｏｄｓｉａｎ）（１９９３年１月７日）は、後ろから順に、デバイスを表面に定着させるための接着剤層、不透膜層、活性材料を組み込んだリザーバ層、および前面上の拡散速度制限層を有する多層積層体である、蒸気性薬剤または防虫剤の制御放出のためのデバイスを記載している。不透層は、金属箔ポリマー積層体として記載され、ここで、ポリマーは、ポリエチレンテレフタレート、ポリエチレン、ポリプロピレン、ポリ塩化ビニルおよびエチレン酢酸ビニルから選択される。リザーバ層は、多孔質ポリマー、含浸ポリマーまたはゲル状ポリマーの混合物で作製されている。
【００１０】
ＵＳ５，２８２，５７１（Ｓｍｉｔｈら）（１９９４年２月１日）は、プラスチック製の自動車用サンバイザークリップを記載しており、ここで、プラスチック材料は、アロマ生成材料を含浸している。クリップは、Ｉｎｔｅｒｎａｔｉｏｎａｌ  Ｆｌａｖｏｒｓ  ａｎｄ  Ｆｒａｇｒａｎｃｅｓ，Ｉｎｃから得られるフレグランスを含浸させたプラスチックとして記載されているＰＯＬＹＩＦＦとして記載の製品を含めた、プラスチックの組合せによって成型される。
【００１１】
ＵＳ５，２８０，７９１（Ｃａｎａｌｅ）（１９９８年１０月１３日）は、空気循環システムと併用される空気清涼デバイスを記載している。デバイスは、格子状の交差している長方形のプラスチック片として、一態様において示されている成型物体であり、ここで、プラスチックは、従来のプラスチックおよび芳香を含浸させたプラスチックの組合せである。
【００１２】
ＷＯ０３／０９７１１４（Ｊｅａｎら）（２００３年１１月２７日）は、装飾面、および揮発性の活性成分、例えば香料を含浸させたプラスチックの取り替え可能な要素からなる成型熱可塑性物品を記載している。要素の樹脂は、「ＰＥＢＡＸ」の商品名で識別される、揮発性の含浸ポリエーテル−エステル−アミドタイプのプラスチックである。要素は、定着システムに取り付けられ、デバイスを、換気または空調システムに関連させる。
【００１３】
ＵＳ６，９３８，８３２（Ｓａｄａ）（２００５年９月６日）は、背面接着剤層、活性材料を含有する多孔質材料の層および可剥性の保護被覆層によって構成されている芳香ストリップを記載している。ストリップは、娯楽メディア、例えばＤＶＤ用ボックスの表面に接着させることが意図され、カバーをはがすと、メディアから丁度いいタイミングで、揮発性物質が放出されて、それによって娯楽的な体験が高められる。
【００１４】
ＵＳ２００８／０１０５７６０（Ｓｈｅｆｆｉｅｌｄら）（２００８年５月８日）は、平面に接着させるための吸盤上に、揮発性物質を含浸させた装飾的および／または成形したユニットを有する芳香デバイスを記載している。
【００１５】
ＵＳ７，１５９，７９２（Ｗｈｅａｔｌｅｙら）（２００７年１月９日）は、必要な場所に設置および再設置できるように、取り外し可能に接着させて表面に取り付けることができるエアフレッシュナーを記載している。デバイスは、芳香部分および取付け部分からなる。芳香部分は、独立し、活性物質、例えば香油を含有する活性担体材料、例えばポリマーまたはポリマーゲルを含有する。ポリマー体は、力が加えられると圧縮し、力が取り除かれると、実質的にその原形に戻る。ポリウレタンまたはポリウレタンゲルは、担体材料の例として記載されている。取付け部分は、表面接着性をもたらす「粘着力のある、粘着性のまたは摩擦の性質」を付与する材料で形成されたパッドを含む。芳香部分の形状およびサイズは、芳香放出の量および速度を決定するように構成することができる。
【００１６】
ＵＳ２００９／００７２０４５（Ｗｈｅａｔｌｅｙら）（２００９年３月１９日）は、車両のエアベントに挿入するための通気棒と枢動可能に組み合わされる、ＵＳ７，１５９，７９２の芳香部分用に記載されたヘッドを有するエアフレッシュナーデバイスを記載している。
【００１７】
ＵＳ２０１０／００６５６５４（Ｗｈｅａｔｌｅｙら）（２０１０年３月１８日）は、ＵＳ７，１５９，７９２の芳香部分用に記載されている基礎ヘッドおよびＵＳ２００９／００７２０４５に記載されている通気棒を有するエアフレッシュナーデバイスを記載している。しかし、デバイスは、装飾的なディスプレイを形成するように配列される多数の棒および多数のヘッドを含有する。
【００１８】
ＵＳ２０１１／０１０８６３２（Ｂｒａｎｄｅｎｂｕｒｇら）（２０１１年５月１２日）は、通気口のルーバーまたはスラットに取り外し可能にはめ込まれるエアフレッシュナークリップを記載している。クリップは、射出成型前にフレグランス材料が配合されているプラスチックの外側部分で被覆されているベースプラスチックで構成される。
【００１９】
ＵＳ２０１２／００６７９７０（Ｈｏｓｓｅｉｎ）（２０１２年３月２２日）は、支持要素およびその支持要素と関連づけられた装飾的な要素を有するエアフレッシュナーを記載している。支持要素は、格子に挿入するために設計され、装飾的な要素は、環境に拡散される芳香剤を含有する熱可塑性ポリマーマトリックスを有する。装飾的な要素の例は、７０〜７２重量％のエチレン酢酸ビニルおよび２８〜３０％の芳香剤で構成されるものである。支持要素は、装飾的な要素から脱着可能としてもよい。
【００２０】
ＥＰ１７０４８７４（Ｂａｒｔｈｅｌら）（２００６年９月２７日）は、器具、例えば家庭用コンピューターの通気口に取り付けるために構成されたアロマディスペンサーを記載している。ディスペンサーは、器具に定着させるとアーチ型になる取付け部分を含有する。通気口から出る空気は、アーチを通過して、ポリマー担体材料の球状粒子およびパフュームオイルの形態のフレグランスからなる芳香送達システムを含有する受取スペースに入る。担体材料の例は、ＤｕＰｏｎｔからのＥＬＶＡＸ  １５０である。ＥＬＶＡＸ  １５０は、３０〜３５％の装填が可能である。芳香吐出部分を、デバイスのファスナー部分に接着するための方法として、接着剤層およびベルクロファスナーが挙げられる。
【００２１】
上述のフレグランス放出システムを提供するための様々な努力にもかかわらず、経済的で構造が簡素であり、多くの環境用途における有用性を持つように適応できる、好ましくは、物品の耐用年数にわたって効果的に芳香物質の線形放出をもたらす、フレグランス放出システムの必要性が残っている。
【発明の概要】
【００２２】
したがって、本発明の目的は、設計が簡素で、エンジン内に積極的な機械駆動支持体を必要としない、フレグランス放出エンジンの基本構造を提供することである。
【００２３】
本発明のさらなる目的は、システムの予定された耐用年数にわたって線形にフレグランスを発散することが認識される、フレグランス放出エンジンを提供することである。
【００２４】
本発明の別の目的は、設計が簡素で経済的であり、最も一般的な環境、例えば自動車または他の商業用もしくは個人用の車両、倉庫、洗面所、公衆トイや、飛行機、列車もしくは船のトイレ、台所、寝室、地下室、ユーティリティルーム、ガレージ、犬小屋または動物の臭気を含有するその他の施設での使用に適応できる、フレグランス放出エンジンを提供することである。
【００２５】
さらなる目的は、住居、商業施設、例えばホテルまたは車両の、空調または暖房ユニットの空気フィルターと併用してまたはその一部として使用するのに適した、フレグランス放出エンジンを提供することである。
【００２６】
別の目的において、フレグランス放出エンジンは、個人が身につけるアクセサリー、例えば衣類、バックパック、ジムバッグ、ハンドバッグの物品またはその他のそのような品物に直接付けるための装飾的な固定具としての使用に適応させてもよい。追加的に、フレグランス放出エンジンは、品物、例えばペンダント、ブレスレットまたはネックレスに組み込まれてもよい。
【００２７】
これらのおよびその他の目的は、個別にまたはこれらを組み合わせて、本発明によって達成されてきたが、これらの第１の態様は、以下：
第１の側面および第２の側面を有する吸着剤層；
吸着剤層の第１の側面および第２の側面の少なくとも１つの少なくとも一部に隣接する蒸気透過性または微小孔性層；
任意に、蒸気透過性層の吸着剤層に隣接しない側面上の、第２の蒸気透過性または微小孔性層；
任意に、吸着剤層の蒸気透過性または微小孔性層に隣接しない部分に隣接する蒸気不透層；ならびに
少なくとも１つの揮発性構成成分を有する活性組成物
を含む多層物品であって、
吸着剤層が活性組成物を含み、
各層を、所要の形状または構造に形成することができる
多層物品を含む。
【００２８】
好ましい態様において、第１の態様による多層物品は、不透層を含み、ここで蒸気透過性層は、吸着剤層の第１の側面に隣接し、蒸気不透層は、吸着剤層の第２の側面に隣接する。好ましい態様において、多層物品は、蒸気不透性の裏打ち層（backing layer）に隣接するベース層をさらに含み、ベース層を、ある形状に形成することができ、一度形成すると、その形状を維持する。
【００２９】
さらに非常に好ましい態様において、多層物品は、装飾的なデザインまたは形態をもたらす第２の蒸気透過性または多孔質の層を含む。
【００３０】
特別な態様において、吸着剤層は、吸着剤材料の規則的または不規則な折り畳み構造を含み、蒸気透過性または微小孔性層は、吸着剤層を覆う。
【００３１】
本発明は、本発明の態様による多層物品を、環境中に配置すること；および多層物品を方向付けて、蒸気透過性または微小孔性層から放出される少なくとも１つの揮発性構成成分を、環境全体に浸透させることを含み、環境中の空気が除臭される、清涼化される、または除臭も清涼化もされる、環境の雰囲気を処理するための方法をさらに提供する。
【００３２】
本発明のより完全な理解およびその付随する利点の多くは、これらを添付の図面と関連づけて考慮すれば以下の詳細な説明の参照によってより良好に理解すると、容易に得られるであろう。
【図面の簡単な説明】
【００３３】
【図１】図１は、本発明による物品の基本要素の概略図を示す。
【図２】図２は、本発明による物品の好ましい態様を示す。
【図３】図３は、物品が成型プラスチックベース上にある本発明の別の態様を示す。
【図４】図４は、装飾的な外層が含まれる本発明の別の態様を示す。
【図５】図５は、本発明による通気口クリップの商業的な態様を示す。
【発明の詳細な説明】
【００３４】
これらの図面は、概略であり、実際の寸法の関連性を示すことは意図していない。
【００３５】
出願人らは、構成成分の様々な構成および構造を研究し、物品中に構成される場合、上述の１つ以上の目標を満たす、独特で新規な多層構造を発見した。
【００３６】
したがって、本発明は、
第１の側面および第２の側面を有する吸着剤層；
吸着剤層の第１の側面および第２の側面の少なくとも１つの少なくとも一部に隣接する、蒸気透過性または微小孔性層；
任意に、蒸気透過性層の吸着剤層に隣接しない側面上の、第２の蒸気透過性または微小孔性層；
任意に、吸着剤層の蒸気透過性または微小孔性層に隣接しない部分に隣接する蒸気不透層；ならびに
少なくとも１つの揮発性構成成分を有する活性組成物；
を含む多層物品であって、
吸着剤層が、活性組成物を含み、
各層を、所要の形状または形態に形成することができる多層物品を提供する。
【００３７】
図１に概略的に示される一態様において、多層物品は、第１の側面および第２の側面を有する吸着剤層（１）を有するように構成される。吸収材層の第１の側面に隣接するのは、吸収材層を被覆する蒸気透過性または微小孔性層（２）であり、任意に、第２の蒸気透過性または微小孔性層は、蒸気透過性または微小孔性層の吸着剤層に隣接しない側面上にあってもよい（図４、項目（５））。層のそれぞれは、必要に応じて、物品を特定の用途に適しているまたは適合するように、様々な構造的な構成をとるように形成することができる。本発明によれば、要素「所要の形状または形態に形成することができる」は、層が、特定の用途のために、フレグランスエンジンの形態を最適化するように成形されてもよいことを説明している。しかし、層が、具体的な形状もしくは形態、または具体的なレベルの柔軟性または剛性を有することは、本発明の要件ではない。適した形状として、平面、立方体、長方形の箱、円筒形または任意のその他の所望の形状を挙げてもよいが、これらだけには限らない。少なくとも１つの揮発性構成成分を有する活性組成物（３）は、吸着剤層中に含有される。
【００３８】
図２に示された本発明の別の態様において、蒸気不透層（４）は、吸着剤層の第２の側面に隣接する。蒸気不透層は、吸着剤層の活性組成物中に存在する揮発性構成成分が、物品の第２の側面から発散するのを防ぎ、その層内の活性組成物を保つ。蒸気透過性または微小孔性層も、吸着剤層内の活性組成物の容積を保つ役割を果たす。しかし、この層の浸透性または微小孔性の構造に基づいて、蒸気または微細分散液滴の形態の揮発性構成成分は、この層を通過することができるので、外部の雰囲気に入る。
【００３９】
本発明者らは、適合する蒸気圧および閾値を有する揮発性構成成分からなる活性組成物を含有する吸着剤層を、本発明に記載したように、蒸気透過性または微小孔性層と組み合わせることによって、規定の性能の耐用年数にわたって、揮発性材料、例えば芳香物質の線形放出を得ることができることを発見した。
【００４０】
吸着剤層は、活性組成物を含有することができ、活性組成物の構成成分と化学的に反応しない、任意の吸収材で構成されていてもよい。吸着剤層は、天然および合成の繊維の両方で構成されていてもよく、一般に、十分な空所および復元力を有する不織層が好ましい。空所は、活性組成物を含有するためのリザーバ能力をもたらし、材料の密度と相関していてもよい。密度は、２．０〜２５ｍｇ／ｃｃ、好ましくは３．５〜２０ｍｇ／ｃｃ、最も好ましくは５．０〜１５ｍｇ／ｃｃとしてもよい。
【００４１】
吸着剤層の不織布は、熱的に結合された不織材料であってもよく、非常に好ましい態様において、不織材料は、活性組成物の吸収率および保持率を強化できる高吸水性ポリマーを含有していてもよい。本発明の多層物品での使用に適した不織材料は、８０〜２００ｇ／ｍ2、好ましくは１００〜１８０ｇ／ｍ2、最も好ましくは１２０〜１６０ｇ／ｍ2の範囲の基本重量を有していてもよい。材料の厚さは、０．２〜１００ｍｍ、好ましくは０．５〜１０ｍｍ、最も好ましくは１．０〜５．０ｍｍであってもよい。本発明による適した不織布として、Ｇｅｏｒｇｉａ  Ｐａｃｉｆｉｃ、ＥＡＭ、ＭｃＡｉｒｌａｉｄおよびＢｕｃｋｅｙｅから供給される製品が挙げられる。
【００４２】
吸着剤層の第２の側面に隣接する蒸気不透性の裏打ち層（４）は、フレグランス放出エンジンの第２の側面からのフレグランスの移動に対する「バリア」としての役割を果たす。この層は、活性組成物に化学的に不活性であり、活性組成物の蒸気に不透性である、任意の材料で構成されていてもよい。好ましい態様において、裏打ち層の材料は、封止能を有してもよく、放出エンジンをベース構造に密閉するための役割を果たしてもよい。同時に、裏打ち層は、活性組成物のベース構造への漏出を予防しなければならず、したがって、活性組成物の、吸着剤層と向かい合う不透層の側面に隣接する基質との不都合な相互作用を予防する。例えば、物品が塗装面に適用される場合、活性組成物が塗装層に漏出すると、塗装の剥離を生じさせ得る。
【００４３】
蒸気不透フィルムとしての使用に適した材料として、ＬＤＰＥ／ポリエステル、ＬＤＰＥ／ＯＰＰの積層体、ならびにＥＶＡ−ポリエステル、ＬＤＰＥ−ポリエステルおよびＥＶＡ−ＬＤＰＥ／ポリエステルのフィルムを挙げてもよい。活性組成物中に含有される成分は、所与のフィルムの化学安定性または物性に悪影響を及ぼし得るので、当業者は、不透性が、物品の予想される保存および活性な耐用年数を通して維持されるように、活性組成物および蒸気不透フィルムの適合性を確立するための試験を必要としてもよいことを、理解するであろう。食品梱包用に慣例的に用いられているフィルム、例えばＭｙｌａｒ（登録商標）ブランドで販売されているものも、適していることがある。不透性の裏打ちフィルムは、厚さ１．５〜３．０ｍｉｌ、好ましくは１．７５〜２．５ｍｉｌ、最も好ましくは２．０〜２．２５ｍｉｌとしてもよい。好ましい態様において、バリア裏打ちフィルムは、３Ｍ  ＳｃｏｔｃｈＰａｋによるＥＸＣＯ  Ｆｉｌｍ  ９７３３との製品名で２．０５ｍｉｌフィルムとして供給されるＥＶＡで裏打ちしたポリエステル積層体であってもよい。
【００４４】
本発明の一態様において、接着剤は、不透層の吸着剤層に隣接しない側面に塗布されてもよい。接着剤は、多層物品を、基質、例えば壁、器具、ダッシュボード、ペンダント、衣類の物品または個人用アクセサリーに接着させるために機能してもよい。接着剤は、連続層中にまたは接着剤貼り付け位置として塗布されてもよく、感圧性接着剤であってもよい。任意に、接着剤層は、物品が基質に接着される場合に取り外される可剥性シートで被覆されていてもよい。
【００４５】
吸着剤層の側面に隣接する半透性のまたは微小孔性のフィルムは、吸着剤層からの活性組成物の油の移動を予防する役割を果たすが、このような浸出は、フレグランス物品の性能および魅力に悪影響をもたらすからである。同時に、半透性のまたは微小孔性のフィルムは、吸着剤層からの活性組成物の蒸気または微細分散液滴の外部の雰囲気への通過を可能にする。本発明者らは、驚くべきことに、吸着剤、活性組成物、および半透性のまたは微小孔性のフィルムの適した組合せの選択によって、フレグランス放出エンジンの、選択され予定された耐用年数にわたって、芳香物質の線形放出が達成され得ることを発見した。このことは、従来の常識では、このような半透性のまたは微小孔性のフィルムの存在による蒸気または分散した微細液滴の発散の抑制が期待されるので、特に驚くべきことである。
【００４６】
柔軟性のある、半透性のまたは微小孔性のフィルムとしての使用に適した材料として、ＬＬＤＰＥ、ＥＶＡ、ＬＬＤＰＥ／ＥＶＡコポリマーおよびＬＬＤＰＥ／ＥＶＡ／ＥＥＡコポリマーを挙げてもよい。フィルムは、好ましくは、１０〜４０ｇ／ｍ2、好ましくは１２〜３０ｇ／ｍ2、最も好ましくは１４〜２０ｇ／ｍ2の範囲の質量密度を有しても良い。好ましい態様において、柔軟性のある微小孔性フィルムは、Ｃｌｏｐａｙから供給される、基本重量が１６．４ｇ／ｍ2の、製品名ＤＨ２６７  ＰＥ  Ｃｌｅａｒ  １２０で販売されているフィルムである。
【００４７】
上で示したように、蒸気不透フィルムは、多層物品の任意の要素であり、いくつかの態様において、蒸気不透フィルムは、存在していなくてもよい。不透性のフィルムを有さない態様において、吸着剤層は、蒸気透過性フィルムまたは蒸気透過性フィルムの組合せによって、覆われていてもよい。好ましい態様において、吸着剤層は、活性組成物の収容能力を増加させるまたは最大にするように、規則的または不規則なパターンのいずれかで、多重に折り畳まれている、または曲げられていてもよい。多重に折り畳まれた吸着剤層は、蒸気透過性フィルムで、および任意にそのフィルムに適用される装飾的な層で、包まれていてもまたは覆われていてもよい。
【００４８】
任意に、装飾的な外層（５）（図４）は、半透性のまたは微小孔性のフィルム（２）の吸着剤層に隣接しない側面に配置されてもよい。装飾的な外層は、所要の形状または構造に形成でき、半透性のまたは微小孔性のフィルムを介して外部環境に発散する蒸気または分散微細液滴の通過を可能にする材料で構成される。装飾的な層に適した材料として、着色、彩色、エンボス加工、デボス加工、その他慣例的に知られているとおりに装飾することができる、いずれかの不織のまたは多孔質のフィルムを挙げてもよい。別法として、有孔フィルムが、装飾的な層として用いられてもよい。
【００４９】
本発明の非常に好ましい態様（図３）において、フレグランス放出エンジンは、不透性のフィルム側のベース構成成分（６）に付けられる。このベースは、いずれの形態であってもよく、フレグランス送達システムが、構成成分の発散が意図される環境空間内またはそこに到達できる場所に好都合に取り付けられるまたは位置づけされてもよい構造を付与するように設計される。
【００５０】
ベース構成成分は、例えば、器具、固定具、車両の客室または暖房／空調の通気口内の構造への取付けのために設計された固定形状であってもよい。別法として、ベースは、消費者によって、活性組成物で処理される空間内の突起または開口部に合わせるまたは付けられるように成形されてもよい、柔軟性のある材料で構成されていてもよい。
【００５１】
ベースは、活性組成物中に含有されるフレグランスに適合する限りは、全体の設計およびフレグランス放出物品の意図された機能に適した天然または合成のいずれの材料から形成されてもよい。ベースとして適し得る材料として、ポリオレフィン、例えば、ＬＤＰＥ、ＨＤＰＥ、ポリプロピレン、ポリカーボネート、ナイロンおよびポリエステルを挙げてもよい。スチレンおよびアクリロニトリルブタジエンスチレン（ＡＢＳ）ベースの材料は、一般に、ベースとしての使用に適さない。
【００５２】
本発明の適用性を例示してもよい一態様の例は、図５に示され、２０１２年１２月３１日に出願された、米国意匠出願第２９／４４１，０７１号に記載されている。
【００５３】
本発明による好ましい態様において、ベースは自然色であっても、着色または彩色されていてもよい、厚さ０．０１２〜０．５０インチのＬＤＰＥで構成されていてもよい。
【００５４】
吸着剤層中に含有される活性組成物は、当産業の業者に知られている活性成分、溶媒、分散剤および揮発補助剤のいずれかを含有してもよい。加えて、特定の用途における性能を最適化するために、具体的な物性を活性組成物に付与し得るその他の慣例的な知られている添加剤が、活性組成物に組み込まれてもよい。選択された物品の耐用年数の間、線形放出を得るために最適化されてもよい特性として、湿潤性、表面張力、界面張力および粘度が挙げられるが、これらだけに限定されない。
【００５５】
一般に、２０℃および７６０ｍｍＨｇで測定した場合の蒸気圧が０．０３〜２ｍｍＨｇである成分は、活性組成物の総重量の少なくとも６０％を占める。好ましくは、活性組成物の重量で少なくとも７０％、最も好ましくは少なくとも８０％は、蒸気圧が０．０３〜２ｍｍＨｇの成分によるものである。香料製造の業者に知られているとおり、活性組成物に配合された成分は、規定の耐用年数と適合および一貫性がある蒸気圧および閾値、提供される芳香および芳香の一貫性に基づいて選択されてもよい。均一性または線形放出は、分析化学的な方法、例えばガスクロマトグラフィーによって、または嗅覚技術のために選択された人物のバネルによって評価されてもよい。上で示したように、本発明者らは、吸着剤層に付随する適切に選択された半透性のまたは微小孔性のフィルムの提供が、本発明のフレグランス放出エンジンの好ましい態様によって得られる芳香の認識の線形性を強化する役割を果たすことを発見した。
【００５６】
揮発性の芳香物質に加えて、活性組成物は、組成物の構成成分の溶解によって均質の液体を提供するだけでなく、活性成分の周囲環境への蒸発の速度を調節する溶媒を含有してもよい。このような溶媒は、イソパラフィン、パラフィン、炭化水素、グリコール、グリコールエーテル、グリコールエーテルエステル、エステルおよびケトンのファミリーのいずれかに属していてもよい。これらのタイプの市販の溶媒の例として、イソパラフィン、Ｉｓｏｐａｒ（登録商標）Ｈ、Ｊ、Ｋ、Ｌ、Ｍ、ＰまたはＶ（Ｅｘｘｏｎ  Ｃｈｅｍｉｃａｌ）；脱芳香族炭化水素、Ｅｘｘｓｏｌ（登録商標）Ｄ１５５／１７０、Ｄ４０、Ｄ１８０／２００、Ｄ２２０／２３０、Ｄ６０、Ｄ８０、Ｄ１００、Ｄ１１０およびＤ１２０（Ｅｘｘｏｎ  Ｃｈｅｍｉｃａｌ）；グリコールエーテル、Ｄｏｗａｎｏｌ（登録商標）ＰＭ．ＴＰＭ、ＰｎＢ、ＤＰｎＢ、ＴＰｎＢ、ＰｎＰおよびＤＰｎＢ  （Ｄｏｗ  Ｃｈｅｍｉｃａｌ  Ｃｏｍｐａｎｔ）；グリコールエーテルエステル、Ｄｏｗａｎｏｌ（登録商標）ＰＭＡおよびＰＧＤＡ（Ｄｏｗ  Ｃｈｅｍｉｃａｌ  Ｃｏｍｐａｎ）、およびＥａｓｔｍａｎ（登録商標）ＥＢアセテート、Ｅａｓｔｍａｎ（登録商標）ＤＥアセテート、Ｅａｓｔｍａｎ（登録商標）ＤＢアセテート、Ｅａｓｔｍａｎ（登録商標）ＥＥＰアセテートが挙げられる。その他の適した溶媒として、ジプロピレングリコール、プロピレングリコール、エチレングリコールエチルエーテルアセテート、エチレングリコールジアセテート、ミリスチン酸イソプロピル、フタル酸ジエチル、酢酸２−エチルヘキシル、メチルｎ−アミルケトンおよびジ−イソブチルケトンが挙げられる。
【００５７】
商業用の活性組成物は、フレグランス製造者、例えば、Ｇｉｖａｕｄａｎ、Ｆｉｒｍｅｎｉｃｈ、ＩＦＦ、Ｍａｎｅ、ＴａｋａｓａｇｏおよびＡｇｉｌｅｘから入手してもよい。これらの組成物は、フレグランス工業で慣例的に用いられるいずれかの添加剤を含有していてもよく、線形放出を支持するまたは強化する溶媒および担体と予め配合されていてもよい。
【００５８】
多層物品は、本発明によれば、当業者に知られている多層ユニットを製造するための従来の方法によって構成されていてもよい。一態様において、吸着剤層は、一定のサイズに切断され、供給ロールから展開されると、蒸気不透フィルムに隣接して配置される。吸着剤層は、蒸気不透フィルムに固定されるのではなく、単に機械的に所定の場所に保持されていてもよい、または吸着剤層は、接着剤層によって蒸気不透フィルムに接着されてもよい、もしくは接着剤で貼付されていてもよい。蒸気透過性フィルムは、同様に、吸着剤層の側面に適用される。任意の装飾的な層が含まれる場合、装飾的な層は、多層物品が構成された後に適用または装飾される場合、予め装飾された形態であってもよい。
【００５９】
半透性のまたは微小孔性のフィルムは、半透性のまたは微小孔性のフィルム全体に配置される蒸気不透層および任意の装飾的なフィルムに向かい合う吸着剤層に隣接して適用される。蒸気透過性層は、好ましくは周辺端部で、吸着剤層に加熱密閉または加圧密閉されてもよい。このような密閉は、例えばインパルスシーリング、超音波シーリングまたはパターンを有する加圧接合法を含めた、この工業で一般に知られている方法によって達成されてもよい。好ましい態様において、層は、接合表面積の２５〜５０％を接合パターンが占めているパターン加圧接合によって接合される。
【００６０】
本発明によるフレグランス送達物品は、不透性の裏打ちフィルムで密閉することによって、または不透性の裏打ちフィルムとベースの間の接着剤層の適用のいずれかによって、形成されたベースに適用されてもよい。フレグランス送達物品のベースへの接着は、当業者に知られている積層の従来の方法のいずれかによって達成されてもよい。
【００６１】
本発明は、フレグランスを処理するまたは環境に送達するための方法も提供する。前述の説明からわかるように、本発明による多層物品は、豊富な形状および構成で、および多種多様なサイズで、提供されてもよい。サイズに関して、多層物品は、比較的小さい、例えばボタンサイズから、大きいパネル様の構造、例えば４フィート×８フィートのシートまで異なっていてもよい。前者の適用は、個人的な使用に有用であるが、後者は、広い区画、例えば倉庫に配置されていてもよい。環境は、局所的な空間、例えばジムバッグまたはハンドバッグ内の空間であってもよい。別法として、局所的な空間は、廊下の一部、または必ずしも壁および構造によって囲まれている必要のないその他の局所的な空間であってもよい。
【００６２】
一般に、区画の雰囲気を処理するための方法は、処理する区画または場所に本発明による多層物品を配置すること、および蒸気透過性または微小孔性層から放出される揮発性材料が、処理される領域に入るように物品を方向付けることを含む。このような処理は、雰囲気を清涼化するするもしくは領域を除臭する、または清涼化と除臭の両方をすることを含めてもよい。
【００６３】
本発明の複合的な態様を、前述の段落に記載してきたが、当業者は、本発明の基本構造および要素から逸脱することなく、本明細書および特許請求の範囲に記載されているとおり、多層物品に様々なさらなる変更がなされてもよいことを理解するであろう。このような態様のすべては、本発明の範囲内であることを意図する。
【図１】
2016511705.tif 000003
【図２】
2016511705.tif 000004
【図３】
2016511705.tif 000005
【図４】
2016511705.tif 000006
【図５】
2016511705.tif 000007
【国際調査報告】
2016511705.tif 000008